(57)【要約】  本発明は、第１の近位端および第１の遠位端を有する第１の毛と、第２の近位端および第２の遠位端を有する第２の毛と、第１の近位端と第１の遠位端との間に位置する第１の毛および第２の近位端と第２の遠位端との間に位置する第２の毛と交差するベースとを含み、第１の毛の第１のセクションがベースと第１の近位端との間に延伸し、第２の毛の第２のセクションがベースと第２の近位端との間に延伸するようにするまつ毛エクステンションを開示した。
2021513615.tif 000002
【特許請求の範囲】
【請求項１】
第１の近位端および第１の遠位端を有する第１の毛と、
第２の近位端および第２の遠位端を有する第２の毛と、
前記第１の近位端と前記第１の遠位端との間に位置する前記第１の毛および前記第２の近位端と前記第２の遠位端との間に位置する前記第２の毛と交差するベースとを含み、前記第１の毛の第１のセクションが前記ベースと前記第１の近位端との間に延伸し、前記第２の毛の第２のセクションが前記ベースと前記第２の近位端との間に延伸するようにすることを特徴とするまつ毛エクステンション。
【請求項２】
前記第１の毛と前記第２の毛は前記ベースでお互いに交差することを特徴とする請求項１に記載のまつ毛エクステンション。
【請求項３】
前記第１の毛および前記第２の毛は、前記ベースに沿ってお互いに離間して設置されることを特徴とする請求項１に記載のまつ毛エクステンション。
【請求項４】
前記第１の毛は、第１の房の毛に含まれ、前記第２の毛は、第２の房の毛に含まれることを特徴とする請求項１に記載のまつ毛エクステンション。
【請求項５】
前記第１の房の毛および前記第２の房の毛は、前記ベースに沿ってお互いに離間して設置されることを特徴とする請求項４に記載のまつ毛エクステンション。
【請求項６】
前記第１の毛および前記第２の毛のそれぞれは、合成毛であることを特徴とする請求項１に記載のまつ毛エクステンション。
【請求項７】
前記第１の毛および前記第２の毛のそれぞれは、ポリブチレンテレフタレート（ＰＢＴ）を含むことを特徴とする請求項６に記載のまつ毛エクステンション。
【請求項８】
前記ベースの厚さは、０．０５ミリメートル〜０．１５ミリメートルの間であることを特徴とする請求項１に記載のまつ毛エクステンション。
【請求項９】
前記ベースは、前記第１の毛と前記第２の毛を連結する細い線を含むことを特徴とする請求項１に記載のまつ毛エクステンション。
【請求項１０】
前記第１の毛および第２の毛は、前記ベースと一体であることを特徴とする請求項１に記載のまつ毛エクステンション。
【請求項１１】
前記第１の毛および前記第２の毛は、前記ベースと熱融着されていることを特徴とする請求項１０に記載のまつ毛エクステンション。
【請求項１２】
前記第１の毛および前記第２の毛は、前記ベースと一体ではないことを特徴とする請求項１に記載のまつ毛エクステンション。
【請求項１３】
前記第１のセクションと前記第２のセクションとが同じ長さであることを特徴とする請求項１に記載のまつ毛エクステンション。
【請求項１４】
前記第１のセクションと前記第２のセクションとが同じ長さでないことを特徴とする請求項１に記載のまつ毛エクステンション。
【請求項１５】
前記第１のセクションおよび前記第２のセクションのそれぞれのセクションの長さは、０．２ミリメートル〜２．５ミリメートルの間であることを特徴とする請求項１に記載のまつ毛エクステンション。
【請求項１６】
第１の近位端および第１の遠位端を含む第１の毛が前記第１の近位端と前記第１の遠位端との間で、前記第１の毛の第１のセクションが領域と前記第１の近位端との間に形成されるように、前記第１の近位端と前記第１の遠位端との間で前記第１の毛と交差する領域を横切るように設置することと、
第２の近位端および第２の遠位端を含む第２の毛が前記第２の近位端と前記第２の遠位端との間で、前記第２の毛の第２のセクションが前記領域と前記第２の近位端との間に形成されるように、前記第２の近位端と前記第２の遠位端との間で前記第２の毛と交差する前記領域を横切るように設置することと、
前記第１の毛および前記第２の毛がベースに固定されるように、前記領域に前記ベースを形成することと、
を含むことを特徴とする方法。
【請求項１７】
前記領域にベースを形成することは、前記第１の毛および前記第２の毛が前記ベースと熱融着するように、前記領域内の前記第１の毛および前記第２の毛を加熱して、前記第１の毛および前記第２の毛を熔融してベースを形成することを含むことを特徴とする請求項１６に記載の方法。
【請求項１８】
前記第１の毛を設置し、および前記第２の毛を設置して、前記第１のセクションおよび前記第２のセクションの各セクションの長さをそれぞれ、０．２ミリメートル〜２．５ミリメートルの間にすることを特徴とする請求項１６に記載の方法。
【請求項１９】
前記ベースと前記第１の近位端との間に位置する第１の点で前記第１のセクションを切断し、前記第１の点で前記第１のセクションを切断した後、前記第１のセクションが前記ベースから前記第１の点まで伸びるようにすることと、
前記ベースと前記第２の近位端との間に位置する第２の点で前記第２のセクションを切断し、前記第２の点で前記第２のセクションを切断した後、前記第２のセクションが前記ベースから前記第２の点まで伸びるようにすることと、
をさらに含むことを特徴とする請求項１６に記載の方法。
【請求項２０】
前記第１のセクションを切断して、前記第１のセクションが前記ベースから前記第１の点までの、０．２ミリメートル〜２．５ミリメートルの間の第１の長さを有するようにすることと、
前記第２のセクションを切断して、前記第２のセクションが前記ベースから前記第２の点までの、０．２ミリメートル〜２．５ミリメートルの間の第２の長さを有するようにすることとを含むことを特徴とする請求項１９に記載の方法。
【請求項２１】
第１の毛と第２の毛を前記ベースで交差させることをさらに含むことを特徴とする請求項１６に記載の方法。
【請求項２０】
前記第１の毛および前記第２の毛のそれぞれは、ポリブチレンテレフタレート（ＰＢＴ）を含むことを特徴とする請求項１６に記載の方法。
【請求項２１】
ベースが第１の近位端と第１の遠位端との間に位置する第１の毛と交差し、それにより前記ベースと前記第１の近位端との間に前記第１の毛の第１のセクションを形成するように、前記第１の近位端および前記第１の遠位端を有する前記第１の毛が前記ベースを横切るように設置することと、
前記ベースが前記第２の近位端と前記第２の遠位端との間に位置する第２の毛と交差し、それにより前記ベースと前記第２の近位端との間に前記第２の毛の第２のセクションを形成するように、前記第２の近位端および前記第２の遠位端を有する前記第２の毛が前記ベースを横切るように設置することと、
前記第１の毛を前記第１の近位端と前記第１の遠位端との間の前記ベースに固定させ、前記第２の毛を前記第２の近位端と前記第２の遠位端との間の前記ベースに固定させることとを含むことを特徴とする方法。
【請求項２２】
前記第１の毛を設置し、および前記第２の毛を設置して、前記第１の毛および前記第２の毛が前記ベースでお互いに交差するようにすることを特徴とする請求項２１に記載の方法。
【請求項２３】
前記第１の毛および前記第２の毛は、前記ベースに沿ってお互いに離間して設置されることを特徴とする請求項２１に記載の方法。
【請求項２４】
前記第１の毛は、第１の房の毛に含まれ、前記第２の毛は、第２の房の毛に含まれることを特徴とする請求項２１に記載の方法。
【請求項２５】
前記第１の房の毛と第２の房の毛は、前記ベースに沿ってお互いに離間して設置されることを特徴とする請求項２４に記載の方法。
【請求項２６】
前記第１の毛および前記第２の毛のそれぞれは、合成毛であることを特徴とする請求項２１に記載の方法。
【請求項２７】
前記第１の毛および前記第２の毛のそれぞれは、ポリブチレンテレフタレート（ＰＢＴ）を含むことを特徴とする請求項２６に記載の方法。
【請求項２８】
前記ベースの厚さは、０．０５ミリメートル〜０．１５ミリメートルの間であることを特徴とする請求項２１に記載の方法。
【請求項２９】
前記ベースは、前記第１の毛と前記第２の毛とを連結する細い線を含むことを特徴とする請求項２１に記載の方法。
【請求項３０】
前記第１の毛および前記第２の毛は、前記ベースと一体であることを特徴とする請求項２１に記載の方法。
【請求項３１】
前記第１の毛および前記第２の毛は、ベースと熱融着されていることを特徴とする請求項３０に記載の方法。
【請求項３２】
前記第１の毛および前記第２の毛は、前記ベースと一体ではないことを特徴とする請求項２１に記載の方法。
【請求項３３】
前記第１のセクションと前記第２のセクションとが同じ長さであることを特徴とする請求項２１に記載の方法。
【請求項３４】
前記第１のセクションと第２のセクションとが同じ長さでないことを特徴とする請求項２１に記載の方法。
【請求項３５】
前記第１のセクションおよび前記第２のセクションのそれぞれのセクションの長さは、０．２ミリメートル〜２．５ミリメートルの間であることを特徴とする請求項２１に記載の方法。
【請求項３６】
ベースが第１の近位端と第１の遠位端との間に位置する第１の毛と交差し、それにより前記ベースと前記第１の近位端との間に第１のセクションの毛を形成するように、前記ベースが前記第１の近位端および前記第１の遠位端を有する前記第１の毛を横切るように設置することと、
前記ベースが第２の近位端と第２の遠位端との間に位置する第２の毛と交差し、それによりベースと前記第２の近位端との間に第２のセクションの毛を形成するように、前記ベースが前記第２の近位端および前記第２の遠位端を有する前記第２の毛を横切るように設置することと、
前記第１の近位端と前記第１の遠位端との間の前記第１の毛に前記ベースを固定させ、前記第２の近位端と前記第２の遠位端との間の前記第２の毛に前記ベースを固定させることとを含むことを特徴とする方法。
【請求項３７】
前記ベースが前記第１の毛を横切り、前記ベースが前記第２の毛を横切って、前記第１の毛および前記第２の毛が前記ベースでお互いに交差するようにすることを特徴とする請求項３６に記載の方法。
【請求項３８】
前記第１の毛および前記第２の毛は、前記ベースに沿ってお互いに離間して設置されることを特徴とする請求項３６に記載の方法。
【請求項３９】
前記第１の毛は、第１の房の毛に含まれ、前記第２の毛は、第２の房の毛に含まれることを特徴とする請求項３６に記載の方法。
【請求項４０】
前記第１の房の毛および前記第２の房の毛は、ベースに沿ってお互いに離間して設置されることを特徴とする請求項３９に記載の方法。
【請求項４１】
前記第１の毛および前記第２の毛のそれぞれは、合成毛であることを特徴とする請求項３６に記載の方法。
【請求項４２】
前記第１の毛および前記第２の毛のそれぞれは、ポリブチレンテレフタレート（ＰＢＴ）を含むことを特徴とする請求項４１に記載の方法。
【請求項４３】
前記ベースの厚さは、０．０５ミリメートル〜０．１５ミリメートルの間であることを特徴とする請求項３６に記載の方法。
【請求項４４】
前記ベースは、前記第１の毛と前記第２の毛とを連結する細い線を含むことを特徴とする請求項３６に記載の方法。
【請求項４５】
前記第１の毛および前記第２の毛は、前記ベースと一体であることを特徴とする請求項３６に記載の方法。
【請求項４６】
前記第１の毛および前記第２の毛は、前記ベースと熱融着されていることを特徴とする請求項４５に記載の方法。
【請求項４７】
前記第１の毛および前記第２の毛は、前記ベースと一体ではないことを特徴とする請求項３６に記載の方法。
【請求項４８】
前記第１のセクションと前記第２のセクションとが同じ長さであることを特徴とする請求項３６に記載の方法。
【請求項４９】
前記第１のセクションと第２のセクションとが同じ長さでないことを特徴とする請求項３６に記載の方法。
【請求項５０】
前記第１のセクションおよび前記第２のセクションのそれぞれのセクションの長さは、０．２ミリメートル〜２．５ミリメートルの間であることを特徴とする請求項３６に記載の方法。
【発明の詳細な説明】
【技術分野】
【０００１】
「関連出願の相互参照」
本出願は、２０１９年１月１４日に提出された、米国仮出願番号ＵＳ６２／７９２０４８に対して優先権を主張する。本出願は、当該出願の全体が参照によりここに組み込まれる。
【０００２】
本発明は、まつ毛エクステンションに関する。
【背景技術】
【０００３】
通常、まつ毛エクステンションまたは人工まつ毛は、ベースとベースから延伸された複数の毛を有する。したがって、ユーザーがまつ毛エクステンションをその天然まつ毛に適用する時、ユーザーは、まつ毛エクステンションのベースを天然まつ毛にできるだけ混ぜて、まつ毛エクステンションをできるだけリアルに見せたいと希望している。いくつかのまつ毛エクステンションのタイプにおいて、ベースはユーザーのまぶたに取り付けられる。さらに、まつ毛エクステンションベースの厚さにより、ユーザーは装着する時にベースを容易に観察でき、まつ毛エクステンションの自然な外観を効果的に破壊する。
【発明の概要】
【発明が解決しようとする課題】
【０００４】
総括すると、本発明は、ユーザーの天然まつ毛とより自然に混ぜることができるまつ毛エクステンションを開示する。まつ毛エクステンションは、複数の毛で構成でき、これらの毛の第１の端と第２の端との間にはベースを有し、ベースは、第１の端とベースとの間に位置する第１のセクションの毛と、ベースと第２の端の間に位置する第２のセクションの毛とを形成することができる。一実施例において、ベースから第２の端に延伸された毛がユーザーの天然まつ毛に沿って延伸されるように、ベースは第１の端に近くてもよい。したがって、第１の端とベースとの間に位置する毛はユーザーのまぶたに向かってユーザーの天然まつ毛と混合されることができ、これによりまつ毛エクステンションがベースの上下の天然まつ毛と混合される時、ベースをよりよく隠すことができる。一実施例において、ベースは熱融着することができ、それによりベースは薄くなることができる。または、他の方法を使用してベースを形成することができる。ベースが熱融着されていない場合、細い線、繊維、テープまたは他の基材を使用することができる。人工まつ毛の根元の上側と下側で任意のタイプのベースを使用することにより、まつ毛エクステンションをユーザーの天然まつ毛に適用する時に、より自然に見えるようにすることができる。
【課題を解決するための手段】
【０００５】
一実施例において、まつ毛エクステンションは、第１の近位端および第１の遠位端を有する第１の毛と、第２の近位端および第２の遠位端を有する第２の毛と、（ｉ）第１の近位端と第１の遠位端との間に位置する第１の毛および（ｉｉ）第２の近位端と第２の遠位端との間に位置する第２の毛と交差するベースとを含み、第１の毛の第１のセクションがベースと第１の近位端との間に延伸し、第２の毛の第２のセクションがベースと第２の近位端との間に延伸するようにすることができる。ベースは、第１の毛と第２の毛の熱融着であってもよい。または、ベースは、テープ、接着剤、細い線、繊維またはその他を含むがこれらに限定されない第１の毛と第２の毛との間の任意の他の連結タイプであることができる。
【０００６】
一実施例において、まつ毛エクステンションの形成方法は、第１の近位端および第１の遠位端を含む第１の毛が前記第１の近位端と前記第１の遠位端との間で、前記第１の毛の第１のセグメントが前記領域と前記第１の近位端との間に形成されるように、前記第１の近位端と前記第１の遠位端との間で前記第１の毛と交差する領域を横切るように設置することを含むことができる。前記方法は、第２の近位端および第２の遠位端を含む第２の毛が前記第２の近位端と前記第２の遠位端との間で、前記第２の毛の第２のセグメントが前記領域と前記第２の近位端との間に形成されるように、前記第２の近位端と前記第２の遠位端との間で前記第２の毛と交差する前記領域を横切るように設置することをさらに含むことができる。前記方法は、第１の毛および第２の毛がベースに固定されるように、前記領域にベースを形成することをさらに含むことができる。
【０００７】
一実施例において、まつ毛エクステンションの形成方法は、ベースが第１の近位端と第１の遠位端との間に位置する第１の毛と交差し、それによりベースと第１の近位端との間に第１の毛の第１のセクションを形成するように、第１の近位端および第１の遠位端を有する第１の毛がベースを横切るように設置することを含むことができる。前記方法は、ベースが第２の近位端と第２の遠位端との間に位置する第２の毛と交差し、それによりベースと第２の近位端との間に第２の毛の第２のセクションを形成するように、第２の近位端および第２の遠位端を有する第２の毛が前記ベースを横切るように設置することをさらに含むことができる。前記方法は、第１の毛を第１の近位端と第１の遠位端との間のベースに固定させ、第２の毛を第２の近位端と第２の遠位端との間のベースに固定させることをさらに含むことができる。
【０００８】
一実施例において、まつ毛エクステンションの形成方法は、ベースが第１の近位端と第１の遠位端との間に位置する第１の毛と交差し、それによりベースと第１の近位端との間に第１のセクションの毛を形成するように、前記ベースが第１の近位端および第１の遠位端を有する第１の毛を横切るように設置することを含むことができる。前記方法は、ベースが第２の近位端と第２の遠位端との間に位置する第２の毛と交差し、それによりベースと第２の近位端との間に第２のセクションの毛を形成するように、前記ベースが第２の近位端および第２の遠位端を有する第２の毛を横切るように設置することをさらに含むことができる。前記方法は、ベースを第１の近位端と第１の遠位端との間の第１の毛に固定させ、第２の近位端と第２の遠位端との間の第２の毛に固定させることをさらに含むことができる。
【図面の簡単な説明】
【０００９】
【図１】本発明の開示に係るユーザーの天然まつ毛に取り付けられるまつ毛エクステンションの実施例を示す。
【図２Ａ−２Ｂ】本発明の開示に係るユーザーの天然まつ毛に取り付けられる複数のまつ毛エクステンションの複数の実施例を示す。
【発明を実施するための形態】
【００１０】
総括すると、本発明は、ユーザーの天然まつ毛とより自然に混ぜることができるまつ毛エクステンションを開示する。まつ毛エクステンションは、複数の毛で構成でき、これらの毛の第１の端と第２の端との間にはベースを有し、ベースは、第１の端とベースとの間に位置する第１のセクションの毛と、ベースと第２の端の間に位置する第２のセクションの毛とを形成することができる。一実施例において、ベースから第２の端に延伸された毛がユーザーの天然まつ毛に沿って延伸されるように、ベースは第１の端に近くてもよい。したがって、第１の端とベースとの間に位置する毛はユーザーのまぶたに向かってユーザーの天然まつ毛と混合されることができ、これによりまつ毛エクステンションがベースの上下の天然まつ毛と混合される時、ベースをよりよく隠すことができる。一実施例において、ベースは熱融着することができ、それによりベースは薄くなることができる。または、他の方法を使用してベースを形成することができる。ベースが熱融着されていない場合、細い線、繊維、テープまたは他の基材を使用することができる。人工まつ毛の根元の上側と下側で任意のタイプのベースを使用することにより、まつ毛エクステンションをユーザーの天然まつ毛に適用する時に、より自然に見えるようにすることができる。本発明は、多くの異なる形態で実施することができ、本発明で開示された様々な実施例に必ずしも限定されると解釈されるべきではないことに留意されたい。むしろ、これらの実施例を提供することにより、本発明の開示が徹底かつ完全になり、本発明の様々な概念が当業者に完全に伝われる。
【００１１】
ここで使用される様々な用語は、直接的または間接的、完全または部分的、一時的または永続的、動作的または非動作的を指すことができる。例えば、１つの素子が別の素子に「位置」、「連結」、または「カップリング」されると呼ばれる場合、前記素子は別の素子に直接に位置、連結、またはカップリングでき、または、２つの素子の間に中間素子が存在することができ、間接または直接変形を含む。逆に、１つの素子が別の素子に「直接に連結」または「直接にカップリング」されると呼ばれる場合、中間素子は存在しない。
【００１２】
本発明で説明されるように、様々な単数形「ａ」、「ａｎ」、および「ｔｈｅ」は、特定の文脈が明らかに他を示さない限り、様々な複数形を含むことも意図される。
【００１３】
本発明で説明されるように、様々な存在動詞「含む」、「備える」が本明細書で使用される場合、説明された特徴、全体、ステップ、操作、素子またはコンポーネントの存在を特に指すが、他の１つまたは複数の他の特徴、全体、ステップ、操作、素子またはコンポーネントの存在を排除しない。
【００１４】
本発明で説明されるように、用語「または」は、排他的な「または」ではなく、包括的な「または」を意味する。すなわち、特に明記しない限り、または文脈が明確でない限り、「Ｘはａまたはｂを使用する」は、自然に含まれる一組の排列のいずれか１つを意味する。すなわち、Ｘがａを採用、Ｘがｂを採用、またはＸがａとｂを採用した場合、上記のいずれの場合でも、「Ｘはａまたはｂを採用」することができる。
【００１５】
本発明で説明されるように、用語「またはその他」、「組み合わせ」、「組成物」または「成分」は、用語の前に列挙された項目のすべての排列および組み合わせを指す。例えば、「Ａ、Ｂ、Ｃ、またはその組み合わせ」は、Ａ、Ｂ、Ｃ、ＡＢ、ＡＣ、ＢＣ、またはＡＢＣの少なくとも１つを含むことを意図し、特定のコンテキストで順序が重要な場合は、ＢＡ、ＣＡ、ＣＢ、ＣＢＡ、ＢＣＡ、ＡＣＢ、ＢＡＣまたはＣＡＢをさらに含む。この例を続けると、ＢＢ、ＡＡＡ、ＡＢ、ＢＢＣ、ＡＡＡＢＣＣＣＣ、ＣＢＢＡＡＡ、ＣＡＢＡＢＢなどの１つまたは複数の項目または用語を含む繰り返しの組み合わせが明示的に含まれる。当業者は、一般に、文脈が明確に他のことを指示しない限り、任意の組み合わせの項目または用語の数は限定されないことを理解する。
【００１６】
本発明で説明されるように、特に定義されない限り、本発明で使用されるすべての用語（技術用語および科学用語を含む）は、本発明が属する技術分野の当業者によって一般に理解されるのと同じ意味を有する。一般的に使用される辞書で定義されているさまざまな用語は、関連する技術の文書での意味と一致する意味を持つものとして解釈されるべきであり、ここで明確に定義されていない限り、理想的または過度の形式として解釈されてはならない。
【００１７】
本発明で説明されるように、図示のように、「下」、「下側」、「上」、「上側」などの相対的な用語を用いて、１つの素子と別の素子との位置関係を説明する場合がある。図面に示された方向に加えて、これらの相対的な用語は、示された技術の異なる方向を包含することを意図している。例えば、図面の装置を裏返すと、元々他の素子の「下」側にあると記述されていた素子が、他の素子の「上」側に変更される。類似的に、いずれかの図の装置を裏返すと、元々「底」または「以下」と記載されていた素子が、他の素子の「上」に変更される。したがって、用語「底」および「以下」は、高および底の方向を包含することができる。
【００１８】
本明細書で使用される用語「約」または「実質的に」は、公称値／用語からの±１０  ％の変化を指す。そのような変更が具体的に言及されているかどうかに関係なく、そのような変更は、本発明によって指定される任意の所与の値／用語に常に含まれる。
【００１９】
特定の実施例に関して説明される特徴は、任意の置き換えまたは組み合わせで、他の様々な実施例と組み合わせるか、または組み合わせることができる。本発明で開示されるように、例示的な実施例の異なる態様または素子は、類似の方法で組み合わせることができる。
【００２０】
本発明は、第１、第２、第３などの様々な用語を使用して、様々な素子、コンポーネント、領域、層または部分を説明するが、これらの素子、コンポーネント、領域、層または部分は、これらの用語によって必ずしも限定されない。これらの用語は、ある素子、コンポーネント、領域、層、またはセクションを別の素子、コンポーネント、領域、層、またはセクションと区別するために使用される。したがって、本発明の様々な教示から逸脱することなく、以下で論じられる第１の素子、コンポーネント、領域、層、またはセクションは、第２の素子、コンポーネント、領域、層、またはセクションと呼ぶことができる。
【００２１】
特定の例示的な実施例に関して説明された特徴は、様々な他の例示的な実施例において、部分的に組み合わされてもよい。なお、本発明に開示されるように、例示的な実施例の異なる態様または素子も、類似の方法で組み合わせおよび部分的に組み合わせされることができる。なお、いくつかの例示的な実施例は、個別にまたは集合的に、より大きなシステムのコンポーネントであり得、他のプロセスが優先され得、またはほかの方法で出願を修正することができる。なお、本発明に開示されるように、実施例の前、後、または実施例と同時に、多くのステップが必要である。少なくとも本明細書で開示されるように、任意のまたはすべての方法またはプロセスは、少なくとも１つのエンティティによって任意の方法で少なくとも部分的に実行され得ることに留意されたい。
【００２２】
本発明は、本発明によって開示される理想化された実施例（および中間構造）の図を参照して本発明の具体的な実施例を説明する。したがって、製造技術または公差により各図示の形状が変化することが予想される。したがって、本発明の例示的な実施例は、本発明に示される領域の特定の形状に必ずしも限定されると解釈されるべきではなく、例えば、製造から生じる形状の偏差を含むべきである。
【００２３】
本発明に開示されるように、任意のまたはすべての素子は、同じ、構造的に連続した部品（例えば、一体）に形成、または別個に製造または連結から形成され得、例えば、１つまたは複数の素子。本発明に開示されるように、任意のまたはすべての素子は、積層造形、減法製造、または任意の他のタイプの製造を問わず、任意の製造プロセスによって製造され得る。例えば、いくつかの製造プロセスは、３次元（３Ｄ）印刷、レーザー切断、コンピューター制御によるルーティング、フライス加工、スタンピング、真空成形、ハイドロフォーミング、射出成形、フォトリソグラフィーを含む。
【００２４】
図１は、本発明の開示に係るユーザーの天然まつ毛に取り付けられるまつ毛エクステンションの実施例を示す。具体的に、まつ毛エクステンション１００は、第１の近位端１０２ＰＥおよび第１の遠位端１０２ＤＥを有する第１の毛１０２を含み、まつ毛エクステンション１００は、第２の近位端１０４ＰＥおよび第２の遠位端１０４ＤＥを有する第２の毛１０４を含む。まつ毛エクステンション１００は、第１の近位端１０２ＰＥと第１の遠位端１０２ＤＥとの間に位置する第１の毛１０２と交差し、第２の近位端１０４ＰＥと第２の遠位端１０４ＤＥとの間に位置する第２の毛１０４と交差するベース１０６を含み、第１の毛１０２の第１のセクション１０８がベース１０６と第１の近位端１０２ＰＥとの間に延伸し、第２の毛１０４の第２のセクション１０８がベース１０６と第２の近位端１０４ＰＥとの間に延伸する。第１の毛１０２および第２の毛１０４は、ベース１０６でお互いに交差する。第１の毛１０２および第２の毛１０４は、ベース１０６に沿ってお互いに離間されている。第１の毛１０２は、第１の房の毛に含まれ、第２の毛１０４は、第２の房の毛に含まれ、ここで第１の房の毛および第２の房の毛は、ベース１０６に沿ってお互いに離間されている。
【００２５】
第１の毛１０２および第２の毛１０４のそれぞれは、合成毛を含むことができる。第１の毛１０２および第２の毛１０４のそれぞれは、ポリブチレンテレフタレート（ＰＢＴ）を含むことができる。ベース１０６の厚さは、約０．０５ミリメートル〜約０．１５ミリメートルの間であることができる。ベース１０６は、第１の毛１０２と第２の毛１０４を連結する細い線を含むことができる。第１の毛１０２および第２の毛１０４は、ベース１０６と一体であることができる。第１の毛１０２および第２の毛１０４は、ベース１０６と熱融着されることができる。第１の毛１０２および第２の毛１０４は、ベースと一体でなくてもよい。例えば、第１の毛１０２または第２の毛１０４は、ループを形成したり、ベース１０６に結束されてもよい。第１のセクション１０８および第２のセクション１０８の長さは、同じであっても、異なってもよい。第１のセクション１０８および第２のセクション１０８のそれぞれは、約０．２ミリメートル〜約２．５ミリメートルの間の長さを有することができる。
【００２６】
まつ毛エクステンション１００は、様々な方法で形成することができる。例えば、ベース１０６を加熱することができる。第１の毛１０２は、ベース１０６を横切ることができ、ここでベース１０６は第１の近位端１０２ＰＥと第１の遠位端１０２ＤＥとの間に位置する第１の毛１０２と交差して、ベース１０６と第１の近位端１０２ＰＥとの間で第１の毛１０２の第１のセクション１０８を形成する。第２の毛１０４は、ベース１０６を横切ることができ、ここでベース１０６は第２の近位端１０４ＰＥと第２の遠位端１０４ＤＥとの間に位置する第２の毛１０４と交差して、ベース１０６と第２の近位端１０４ＰＥとの間で第２の毛１０４の第２のセクション１０８を形成する。ベース１０６を加熱することは、第１の毛１０２および第２の毛１０４をベース１０６と熱融着するように、ベース１０６を溶融することであってもよい。第１の毛１０２を設置し、および第２の毛１０４を設置して、第１の毛１０２の第１のセクション１０８および第２の毛１０４の第２のセクション１０８の長さをそれぞれ、約０．２ミリメートル〜約２．５ミリメートルの間にすることができる。第１の毛１０２の第１のセクション１０８が切断された後も依然として存在するように、第１の毛１０２は、ベース１０６と第１の近位端１０２ＰＥとの間で切断されることができる。第２の毛１０４の第２のセクション１０８が切断された後も依然として存在するように、第２の毛１０４は、ベース１０６と第２の近位端１０４ＰＥとの間で切断されることができる。第１の毛１０２を切断することは、第１の毛１０２の第１のセクション１０８が切断された後も依然として約０．２ミリメートル〜約２．５ミリメートルの間の範囲内の第１の長さを有するように、ベース１０６と第１の近位端１０２ＰＥとの間に位置する第１の毛１０２を切断することを含むことができる。第２の毛１０４を切断することは、第２の毛１０４の第２のセクション１０８が切断された後も依然として約０．２ミリメートル〜約２．５ミリメートルの間の範囲内の第２の長さを有するように、ベース１０６と第２の近位端１０４ＰＥとの間に位置する第２の毛１０４を切断することを含むことができる。第１の毛１０２および第２の毛１０４は、ベース１０６でお互いに交差することができる。第１の毛１０２および第２の毛１０４のそれぞれは、ポリブチレンテレフタレート（ＰＢＴ）または他の適切な合成材料を含むことができる。
【００２７】
図１に示したように、まつ毛エクステンション１００は、スパイン部またはベース１０６を含む。スパイン部またはベース１０６は、繊維または繊維束（例えば、天然材料、天然シルク、天然ミンクの毛、合成材料、アクリル樹脂、ポリブチレンテレフタレート（ＰＢＴ）、合成ミンクの毛、合成シルク、ポリエステル、ポリマー）を含むことができる。製造方法において、スパイン部またはベース１０６を溶融または事前に設定された予備溶融温度に加熱し、次に第１の毛１０２および第２の毛１０４である繊維または繊維束をその上に配置または設置して、繊維または繊維束をその上に（例えば、付着、接着）連結させることができる。このような配置または設置は、繊維または繊維束がスパイン部またはベース１０６から追加の長さ（例えば、約０．２ミリメートル〜約２．５ミリメートルの間）に延伸されるようにすることができる。例えば、製造方法は、約０．２ミリメートル〜約２．５ミリメートルの間の範囲より大きい「解放」長さを有する繊維または繊維束をスパイン部またはベース１０６に連結し、次に繊維または繊維束の長さを上記の範囲に減少することを含むことができる。なお、スパイン部またはベース１０６の溶融または加熱が実行されている繊維または繊維束は、別の繊維または繊維束とお互いに交差することができる。
【００２８】
図２Ａ〜図２Ｂは、本発明の開示に係るユーザーの天然まつ毛に取り付けられる複数のまつ毛エクステンションの複数の実施例を示す。具体的に、レイアウト２００Ａおよびレイアウト２００Ｂを示す。レイアウト２００Ａは、第１の毛１０２、第２の毛１０４、ベース１０６、第１のセクション１０８、第２のセクション１０８、および領域１１０を示し、領域１１０は、任意の形状（例えば、多角形、長方形、楕円形、円形、三角形、台形、開放形、閉合形、対称的、非対称的）を有することができる。第１の毛１０２および第２の毛１０４は、領域１１０内でお互いに平行であり、同時に第１の毛１０２および第２の毛１０４は、領域１１０内のベース１０６と交差する。第１のセクション１０８および第２のセクション１０８は、領域１１０内で延伸され、領域外に延伸されることができる。レイアウト２００Ｂは、前記レイアウトに類似するが、第１の毛１０２および第２の毛１０４は、領域１１０内のベース１０６でお互いに交差する。
【００２９】
上述のように、まつ毛エクステンションの形成方法は、第１の近位端１０２ＰＥおよび第１の遠位端１０２ＤＥを含む第１の毛１０２が領域１１０を横切るように設置することと、前記領域１１０と第１の毛１０２は、第１の近位端１０２ＰＥと第１の遠位端１０２ＤＥとの間で交差し、それにより前記領域１１０と第１の近位端１０２ＰＥとの間で第１の毛１０２の第１のセクション１０８が形成されるようにすることとを含むことができる。前記方法は、第２の近位端１０４ＰＥおよび第２の遠位端１０４ＤＥを含む第２の毛１０４が前記領域１１０を横切るように設置することと、前記領域１１０と第２の毛１０４は、第２の近位端１０４ＰＥと第２の遠位端１０４ＤＥとの間で交差し、それにより前記領域１１０と第２の近位端１０４ＰＥとの間で第２の毛の第２のセクション１０８が形成されるようにすることとをさらに含むことができる。前記方法は、第１の毛１０２および第２の毛１０４がベース１０６に固定されるように、前記領域１１０でベース１０６を形成することをさらに含むことができる。例えば、前記方法は、第１の毛および第２の毛を溶融してベースを形成するように、前記領域の第１の毛および第２の毛を加熱し、それにより第１の毛および第２の毛をベースと熱融着させることを含むことができる。例えば、前記方法は、第１の毛を設置し、第２の毛を設置し、それにより第１のセクションおよび第２のセクションのそれぞれが約０．２ミリメートル〜約２．５ミリメートルの間の長さを有するようにすることを含むことができる。例えば、前記方法は、ベース１０６と第１の近位端１０２ＰＥとの間に位置する第１の点で第１のセクション１０８を切断し、第１の点で第１のセクション１０８を切断した後、第１のセクション１０８がベース１０６から第１の点まで伸びるようにすることと、ベース１０６と第２の近位端１０４ＰＥとの間に位置する第２の点で第２のセクション１０８を切断し、第２の点で第２のセクション１０８を切断した後、第２のセクション１０８がベース１０６から第２の点まで伸びるようにすることと、を含むことができる。例えば、前記方法は、第１のセクションを切断し、第１のセクションがベースから第１の点までの、０．２ミリメートル〜２．５ミリメートルの間の第１の長さを有するようにすることを含むことができる。例えば、前記方法は、第２のセクションを切断し、第２のセクションがベースから第２の点までの、０．２ミリメートル〜２．５ミリメートルの間の第２の長さを有するようにすることを含むことができる。例えば、前記方法は、第１の毛１０２と第２の毛１０４をベース１０６で交差させることを含むことができる。例えば、前記方法は、第１の毛および第２の毛のそれぞれは、ポリブチレンテレフタレート（ＰＢＴ）または他の適切な材料を含むことができる。例えば、前記方法は、ＰＢＴから形成されるか、またはＰＢＴを含むことができるベース１０６を含むことができる。例えば、前記方法は、まだ存在していない場合、第１の毛１０２または第２の毛１０４上に他の繊維を溶融すること含むことができる。これらの方法は逆転されることができることに注意されたい。例えば、いくつかの実施例において、本発明で説明したように、第１の毛１０２および第２の毛１０４を設置し、次に第１の毛１０２および第２の毛１０４にベース１０６を形成する。しかし、いくつかの実施例において、本発明で説明したように、まずベース１０６を形成し、次にベース１０６に第１の毛１０２および第２の毛１０４を設置することもできる。前記方法または任意の特定のステップは本発明に記載されている他の任意の方法と組み合わせ、および／または混合して適合させることができることに留意されたい。
【００３０】
上述のように、まつ毛エクステンションの形成方法は、ベース１０６が第１の近位端１０２ＰＥと第１の遠位端１０２ＤＥとの間に位置する第１の毛１０２と交差し、それによりベース１０６と第１の近位端１０２ＰＥとの間に第１の毛１０２の第１のセクション１０８を形成するように、第１の近位端１０２ＰＥおよび第１の遠位端１０２ＤＥを有する第１の毛１０２がベース１０６を横切るように設置することを含むことができる。前記方法は、ベース１０６が第２の近位端１０４ＰＥと第２の遠位端１０４ＤＥとの間に位置する第２の毛１０４と交差し、それによりベース１０６と第２の近位端１０４ＰＥとの間に第２の毛１０４の第２のセクション１０８を形成するように、第２の近位端１０４ＰＥおよび第２の遠位端１０４ＤＥを有する第２の毛１０４がベース１０６を横切るように設置することを含むことができる。前記方法は、第１の毛１０２を第１の近位端１０２ＰＥと第１の遠位端１０２ＤＥとの間のベース１０６に固定させ、第２の毛１０４を第２の近位端１０４ＰＥと第２の遠位端１０４ＤＥとの間のベース１０６に固定させることを含むことができる。例えば、第１の毛１０２を設置し、第２の毛１０４を設置して、第１の毛１０２および第２の毛１０４がベース１０６でお互いに交差するようにする。例えば、第１の毛１０２および第２の毛１０４は、ベース１０６に沿ってお互いに離間される。例えば、第１の毛１０２は、第１の房の毛に含まれることができ、第２の毛１０４は、第２の房の毛に含まれることができる。例えば、第１の房の毛と第２の房の毛は、ベース１０６に沿ってお互いに離間されることができる。例えば、第１の毛１０２および第２の毛１０４のそれぞれは、合成毛であることができる。例えば、第１の毛１０２および第２の毛１０４のそれぞれは、ポリブチレンテレフタレート（ＰＢＴ）を含むことができる。例えば、ベース１０６の厚さは、約０．０５ミリメートル〜約０．１５ミリメートルの間であることができる。例えば、ベース１０６は、第１の毛１０２と第２の毛１０４を連結する細い線を含むことができる。例えば、第１の毛１０２および第２の毛１０４は、ベース１０６と一体であることができる。例えば、第１の毛１０２および第２の毛１０４は、ベース１０６と熱融着されることができる。例えば、第１の毛１０２および第２の毛１０４は、ベース１０６と一体ではなくてもよい。例えば、第１のセクション１０８および第２のセクション１０８の長さは同じであるか、異なることができる。例えば、第１のセクション１０８および第２のセクション１０８のそれぞれのセクションの長さは、約０．２ミリメートル〜約２．５ミリメートルの間であることができる。前記方法または任意の特定のステップは本発明に記載されている他の任意の方法と組み合わせ、および／または混合して適合させることができることに留意されたい。
【００３１】
上述のように、まつ毛エクステンションの形成方法は、ベース１０６が第１の近位端１０２ＰＥと第１の遠位端１０２ＤＥとの間に位置する第１の毛１０２と交差し、それによりベース１０６と第１の近位端１０２ＰＥとの間に第１のセクション１０８の毛を形成するように、ベース１０６が第１の近位端１０２ＰＥおよび第１の遠位端１０２ＤＥを有する第１の毛１０２を横切るように設置することを含むことができる。前記方法は、ベース１０６が第２の近位端１０４ＰＥと第２の遠位端１０４ＤＥとの間に位置する第２の毛１０４と交差し、それによりベース１０６と第２の近位端１０４ＰＥとの間に第２のセクション１０８の毛を形成するように、ベース１０６が第２の近位端１０４ＰＥおよび第２の遠位端１０４ＤＥを有する第２の毛１０４を横切るように設置することを含むことができる。前記方法は、ベース１０６を第１の近位端１０２ＰＥと第１の遠位端１０２ＤＥとの間の第１の毛１０２に固定させ、第２の近位端１０４ＰＥと第２の遠位端１０４ＤＥとの間の第２の毛１０４に固定させることを含むことができる。例えば、ベース１０６が第１の毛１０２を横切り、ベース１０６が第２の毛１０４を横切って、第１の毛１０２および第２の毛１０４がベース１０６でお互いに交差するようにする。例えば、第１の毛１０２および第２の毛１０４は、ベース１０６に沿ってお互いに離間して設置される。例えば、第１の毛１０２は、第１の房の毛に含まれ、第２の毛１０４は、第２の房の毛に含まれることができる。例えば、第１の房の毛および第２の房の毛は、ベース１０６に沿ってお互いに離間して設置されることができる。例えば、第１の毛１０２および第２の毛１０４のそれぞれは、合成毛であることができる。例えば、第１の毛１０２および第２の毛１０４のそれぞれは、ポリブチレンテレフタレート（ＰＢＴ）を含むことができる。例えば、ベース１０６の厚さは、約０．０５ミリメートル〜約０．１５ミリメートルの間であることができる。例えば、ベース１０６は、第１の毛１０２と第２の毛１０４を連結する細い線を含むことができる。例えば、第１の毛１０２および第２の毛１０４は、ベース１０６と一体であることができる。例えば、第１の毛１０２および第２の毛１０４は、ベース１０６と熱融着されることができる。例えば、第１の毛１０２および第２の毛１０４は、ベースと一体ではなくてもよい。例えば、第１のセクション１０８および第２のセクション１０８の長さ同じであるか、異なることができる。例えば、第１のセクション１０８および第２のセクション１０８のそれぞれのセクションの長さは、約０．２ミリメートル〜約２．５ミリメートルの間であることができる。前記方法または任意の特定のステップは本発明に記載されている他の任意の方法と組み合わせ、および／または混合して適合させることができることに留意されたい。
【００３２】
各請求項のすべての装置または素子のさまざまな対応する構造、材料、動作、および同等物は、具体的な請求項に記載されている他の請求素子と組み合わせて機能を実行するための任意の構造、材料、または動作を含むものとする。様々な実施例は、本発明の様々な原理およびその様々な実際の用途を最もよく開示し、関連技術分野の当業者が様々な実施例の本発明を理解できるようにするために選択および説明され、想定される特定の用途のためのさまざまな変更を有する。
【００３３】
本発明は、様々な説明および目的のために提出されているが、網羅的であること、または様々な形態で開示された発明に限定されることは意図されていない。技術および構造に対する様々な修正および変更は、後続の請求項に記載されるように、本発明の範囲および精神から逸脱することなく、当業者には明らかであろう。したがって、そのような修正および変更は、この開示の一部と見なされる。本開示の範囲は、この開示を提出した時点での既知の均等物および予期しない均等物を含む様々な主張によって定義されている。
【図１】
2021513615.tif 000003
【図２Ａ】
2021513615.tif 000004
【図２Ｂ】
2021513615.tif 000005
【手続補正書】
【提出日】令和2年6月26日(2020.6.26)
【手続補正１】
【補正対象書類名】特許請求の範囲
【補正対象項目名】全文
【補正方法】変更
【補正の内容】
【特許請求の範囲】
【請求項１】
第１の近位端および第１の遠位端を有する第１の毛と、
第２の近位端および第２の遠位端を有する第２の毛と、
前記第１の近位端と前記第１の遠位端との間に位置する前記第１の毛および前記第２の近位端と前記第２の遠位端との間に位置する前記第２の毛と交差するベースとを含み、前記第１の毛の第１のセクションが前記ベースと前記第１の近位端との間に延伸し、前記第２の毛の第２のセクションが前記ベースと前記第２の近位端との間に延伸するようにすることを特徴とするまつ毛エクステンション。
【請求項２】
前記第１の毛と前記第２の毛は前記ベースでお互いに交差することを特徴とする請求項１に記載のまつ毛エクステンション。
【請求項３】
前記第１の毛および前記第２の毛は、前記ベースに沿ってお互いに離間して設置されることを特徴とする請求項１に記載のまつ毛エクステンション。
【請求項４】
前記第１の毛は、第１の房の毛に含まれ、前記第２の毛は、第２の房の毛に含まれることを特徴とする請求項１に記載のまつ毛エクステンション。
【請求項５】
前記第１の房の毛および前記第２の房の毛は、前記ベースに沿ってお互いに離間して設置されることを特徴とする請求項４に記載のまつ毛エクステンション。
【請求項６】
前記第１の毛および前記第２の毛のそれぞれは、合成毛であることを特徴とする請求項１に記載のまつ毛エクステンション。
【請求項７】
前記第１の毛および前記第２の毛のそれぞれは、ポリブチレンテレフタレート（ＰＢＴ）を含むことを特徴とする請求項６に記載のまつ毛エクステンション。
【請求項８】
前記ベースの厚さは、０．０５ミリメートル〜０．１５ミリメートルの間であることを特徴とする請求項１に記載のまつ毛エクステンション。
【請求項９】
前記ベースは、前記第１の毛と前記第２の毛を連結する細い線を含むことを特徴とする請求項１に記載のまつ毛エクステンション。
【請求項１０】
前記第１の毛および第２の毛は、前記ベースと一体であることを特徴とする請求項１に記載のまつ毛エクステンション。
【請求項１１】
前記第１の毛および前記第２の毛は、前記ベースと熱融着されていることを特徴とする請求項１０に記載のまつ毛エクステンション。
【請求項１２】
前記第１の毛および前記第２の毛は、前記ベースと一体ではないことを特徴とする請求項１に記載のまつ毛エクステンション。
【請求項１３】
前記第１のセクションと前記第２のセクションとが同じ長さであるか、又は異なる長さであることを特徴とする請求項１に記載のまつ毛エクステンション。
【請求項１４】
前記第１のセクションおよび前記第２のセクションのそれぞれのセクションの長さは、０．２ミリメートル〜２．５ミリメートルの間であることを特徴とする請求項１に記載のまつ毛エクステンション。
【請求項１５】
第１の近位端および第１の遠位端を含む第１の毛が前記第１の近位端と前記第１の遠位端との間で、前記第１の毛の第１のセクションが領域と前記第１の近位端との間に形成されるように、前記第１の近位端と前記第１の遠位端との間で前記第１の毛と交差する領域を横切るように設置することと、
第２の近位端および第２の遠位端を含む第２の毛が前記第２の近位端と前記第２の遠位端との間で、前記第２の毛の第２のセクションが前記領域と前記第２の近位端との間に形成されるように、前記第２の近位端と前記第２の遠位端との間で前記第２の毛と交差する前記領域を横切るように設置することと、
前記第１の毛および前記第２の毛がベースに固定されるように、前記領域に前記ベースを形成することと、
を含むことを特徴とする方法。
【請求項１６】
前記領域にベースを形成することは、前記第１の毛および前記第２の毛が前記ベースと熱融着するように、前記領域内の前記第１の毛および前記第２の毛を加熱して、前記第１の毛および前記第２の毛を熔融してベースを形成することを含むことを特徴とする請求項１５に記載の方法。
【請求項１７】
前記第１の毛を設置し、および前記第２の毛を設置して、前記第１のセクションおよび前記第２のセクションの各セクションの長さをそれぞれ、０．２ミリメートル〜２．５ミリメートルの間にすることを特徴とする請求項１５に記載の方法。
【請求項１８】
前記ベースと前記第１の近位端との間に位置する第１の点で前記第１のセクションを切断し、前記第１の点で前記第１のセクションを切断した後、前記第１のセクションが前記ベースから前記第１の点まで伸びるようにすることと、
前記ベースと前記第２の近位端との間に位置する第２の点で前記第２のセクションを切断し、前記第２の点で前記第２のセクションを切断した後、前記第２のセクションが前記ベースから前記第２の点まで伸びるようにすることと、
をさらに含むことを特徴とする請求項１５に記載の方法。
【請求項１９】
前記第１のセクションを切断して、前記第１のセクションが前記ベースから前記第１の点までの、０．２ミリメートル〜２．５ミリメートルの間の第１の長さを有するようにすることと、
前記第２のセクションを切断して、前記第２のセクションが前記ベースから前記第２の点までの、０．２ミリメートル〜２．５ミリメートルの間の第２の長さを有するようにすることとを含むことを特徴とする請求項１８に記載の方法。
【請求項２０】
第１の毛と第２の毛を前記ベースで交差させることをさらに含むことを特徴とする請求項１５に記載の方法。
【請求項２１】
前記第１の毛および前記第２の毛のそれぞれは、ポリブチレンテレフタレート（ＰＢＴ）を含むことを特徴とする請求項１５に記載の方法。
【請求項２２】
ベースが第１の近位端と第１の遠位端との間に位置する第１の毛と交差し、それにより前記ベースと前記第１の近位端との間に前記第１の毛の第１のセクションを形成するように、前記第１の近位端および前記第１の遠位端を有する前記第１の毛が前記ベースを横切るように設置することと、
前記ベースが第２の近位端と第２の遠位端との間に位置する第２の毛と交差し、それにより前記ベースと前記第２の近位端との間に前記第２の毛の第２のセクションを形成するように、前記第２の近位端および前記第２の遠位端を有する前記第２の毛が前記ベースを横切るように設置することと、
前記第１の毛を前記第１の近位端と前記第１の遠位端との間の前記ベースに固定させ、前記第２の毛を前記第２の近位端と前記第２の遠位端との間の前記ベースに固定させることとを含むことを特徴とする方法。
【請求項２３】
前記第１の毛を設置し、および前記第２の毛を設置して、前記第１の毛および前記第２の毛が前記ベースでお互いに交差するようにすることを特徴とする請求項２２に記載の方法。
【請求項２４】
前記第１の毛および前記第２の毛は、前記ベースに沿ってお互いに離間して設置されることを特徴とする請求項２２に記載の方法。
【請求項２５】
前記第１の毛は、第１の房の毛に含まれ、前記第２の毛は、第２の房の毛に含まれることを特徴とする請求項２２に記載の方法。
【請求項２６】
前記第１の房の毛と第２の房の毛は、前記ベースに沿ってお互いに離間して設置されることを特徴とする請求項２５に記載の方法。
【請求項２７】
前記第１の毛および前記第２の毛のそれぞれは、合成毛であることを特徴とする請求項２２に記載の方法。
【請求項２８】
前記第１の毛および前記第２の毛のそれぞれは、ポリブチレンテレフタレート（ＰＢＴ）を含むことを特徴とする請求項２７に記載の方法。
【請求項２９】
前記ベースの厚さは、０．０５ミリメートル〜０．１５ミリメートルの間であることを特徴とする請求項２２に記載の方法。
【請求項３０】
前記ベースは、前記第１の毛と前記第２の毛とを連結する細い線を含むことを特徴とする請求項２２に記載の方法。
【請求項３１】
前記第１の毛および前記第２の毛は、前記ベースと一体であることを特徴とする請求項２２に記載の方法。
【請求項３２】
前記第１の毛および前記第２の毛は、ベースと熱融着されていることを特徴とする請求項３１に記載の方法。
【請求項３３】
前記第１の毛および前記第２の毛は、前記ベースと一体ではないことを特徴とする請求項２２に記載の方法。
【請求項３４】
前記第１のセクションと前記第２のセクションとが同じ長さであるか、又は異なる長さであることを特徴とする請求項２２に記載の方法。
【請求項３５】
前記第１のセクションおよび前記第２のセクションのそれぞれのセクションの長さは、０．２ミリメートル〜２．５ミリメートルの間であることを特徴とする請求項２２に記載の方法。
【請求項３６】
ベースが第１の近位端と第１の遠位端との間に位置する第１の毛と交差し、それにより前記ベースと前記第１の近位端との間に第１のセクションの毛を形成するように、前記ベースが前記第１の近位端および前記第１の遠位端を有する前記第１の毛を横切るように設置することと、
前記ベースが第２の近位端と第２の遠位端との間に位置する第２の毛と交差し、それによりベースと前記第２の近位端との間に第２のセクションの毛を形成するように、前記ベースが前記第２の近位端および前記第２の遠位端を有する前記第２の毛を横切るように設置することと、
前記第１の近位端と前記第１の遠位端との間の前記第１の毛に前記ベースを固定させ、前記第２の近位端と前記第２の遠位端との間の前記第２の毛に前記ベースを固定させることとを含むことを特徴とする方法。
【請求項３７】
前記ベースが前記第１の毛を横切り、前記ベースが前記第２の毛を横切って、前記第１の毛および前記第２の毛が前記ベースでお互いに交差するようにすることを特徴とする請求項３６に記載の方法。
【請求項３８】
前記第１の毛および前記第２の毛は、前記ベースに沿ってお互いに離間して設置されることを特徴とする請求項３６に記載の方法。
【請求項３９】
前記第１の毛は、第１の房の毛に含まれ、前記第２の毛は、第２の房の毛に含まれることを特徴とする請求項３６に記載の方法。
【請求項４０】
前記第１の房の毛および前記第２の房の毛は、ベースに沿ってお互いに離間して設置されることを特徴とする請求項３９に記載の方法。
【請求項４１】
前記第１の毛および前記第２の毛のそれぞれは、合成毛であることを特徴とする請求項３６に記載の方法。
【請求項４２】
前記第１の毛および前記第２の毛のそれぞれは、ポリブチレンテレフタレート（ＰＢＴ）を含むことを特徴とする請求項４１に記載の方法。
【請求項４３】
前記ベースの厚さは、０．０５ミリメートル〜０．１５ミリメートルの間であることを特徴とする請求項３６に記載の方法。
【請求項４４】
前記ベースは、前記第１の毛と前記第２の毛とを連結する細い線を含むことを特徴とする請求項３６に記載の方法。
【請求項４５】
前記第１の毛および前記第２の毛は、前記ベースと一体であることを特徴とする請求項３６に記載の方法。
【請求項４６】
前記第１の毛および前記第２の毛は、前記ベースと熱融着されていることを特徴とする請求項４５に記載の方法。
【請求項４７】
前記第１の毛および前記第２の毛は、前記ベースと一体ではないことを特徴とする請求項３６に記載の方法。
【請求項４８】
前記第１のセクションと前記第２のセクションとが同じ長さであることを特徴とする請求項３６に記載の方法。
【請求項４９】
前記第１のセクションと第２のセクションとが同じ長さでないことを特徴とする請求項３６に記載の方法。
【請求項５０】
前記第１のセクションおよび前記第２のセクションのそれぞれのセクションの長さは、０．２ミリメートル〜２．５ミリメートルの間であることを特徴とする請求項３６に記載の方法。
【国際調査報告】
2021513615.tif 000006
2021513615.tif 000007